(57)【要約】【課題】  配線・配管材の結束と、構造物の壁面に対する配線・配管材の支持との双方を可能にした結束バンドの提供である。【解決手段】  バックルＢ1 と、当該バックルＢ1 に連結されるバンド体Ｄ1 とから成る結束バンドＴ1 であって、前記バックルＢ1 は、平板状に形成されて、前記バンド体Ｄ1 の他端部が表面側から挿入可能なバンド体挿入部６と、当該バンド体挿入部６から挿入されたバンド体Ｄ1 の他端部を掛け回して前記バックルＢ1 の外部に引出し可能にするためのバンド体掛け回し部２と、当該バックルＢ1 を構造物の壁面等の固定面に釘、ビス等の固定具により固定可能にするための固定孔７とを備え、前記バックルＢ1 は、前記固定面に固定された状態で、前記バンド体挿入部６から挿入されたバンド体Ｄ1 の他端部が、前記バンド体掛け回し部２と前記固定面との間に形成される掛け回し空間１０を通過して、当該バックルＢ1 の先端側又は表面側から引き出されるように当該バックルＢ1 に挿通された構成とする。【選択図】  図１１
2010247863.tif 000002
【特許請求の範囲】
【請求項１】
バックルの基端側にバンド体が一体に連結され、当該バンド体の他端部が前記バックルに挿通されると共に、抜脱防止手段によって配線・配管材の結束状態では当該バックルに対して抜脱しないように当該バックルの他端側に連結される結束バンドであって、
前記バックルは、平板状に形成されて、前記バンド体の他端部が表面側から挿入可能なバンド体挿入部と、当該バンド体挿入部から挿入されたバンド体の他端部を掛け回して前記バックルの外部に引出し可能にするためのバンド体掛け回し部と、当該バックルを構造物の壁面等の固定面に釘、ビス等の固定具により固定可能にするための固定孔とを備え、
前記バックルは、前記固定面に固定された状態で、前記バンド体挿入部から挿入されたバンド体の他端部が、前記バンド体掛け回し部と前記固定面との間に形成される掛け回し空間を通過して、当該バックルの先端側又は表面側から引き出されるように当該バックルに挿通されることを特徴とする結束バンド。
【請求項２】
前記抜脱防止手段は、バンド体の一面に形成されたファスナー面であって、前記バンド体掛け回し部に掛け回して反転させることにより、当該バンド体の他端部は、前記ファスナー面が内側となるように二枚重ね状態にして互いに引っ掛けることにより、バックルに抜脱しないように連結されることを特徴とする請求項１に記載の結束バンド。
【請求項３】
前記バンド体掛け回し部は、バックルの先端側に形成され、前記固定面にバックルを固定した状態で、当該バンド体の他端部は、当該バンド体掛け回し部の背面側と前記固定面との間に形成された掛け回し空間を通ってそのまま前記バックルの先端側に引き出される構成であることを特徴とする請求項１又は２に記載の結束バンド。
【請求項４】
バックルの基端側にバンド体が一体に連結され、当該バンド体の他端部が前記バックルに挿通されると共に、抜脱防止手段によって配線・配管材の結束状態では当該バックルに対して抜脱しないように当該バックルの他端側に連結される結束バンドであって、
前記バックルは、平板状に形成されて、前記バンド体の他端部が表面側から挿入可能なバンド体挿入部と、当該バンド体挿入部の内側面となる部分に形成されたバンド体係止部と、前記バックルを構造物の壁面等の固定面に釘、ビス等の固定具により固定可能にするための固定孔とを備え、
前記バックルは、前記固定面に固定された状態で、前記バンド体挿入部から挿入されたバンド体の他端部が、前記固定面との間で形成された引き出し空間を通過して、当該バックルの先端側又は表面側から引き出されることにより、前記バンド体は前記バンド体係止部に係止されることを特徴とする結束バンド。
【請求項５】
前記抜脱防止手段は、前記バックルに形成された係止部である係止爪と、前記バンド体の一面に縦断面で鋸刃状となるように長手方向に形成されて、前記係止爪と係止可能な被係止爪とから成り、当該バンド体の他端部を前記引き出し空間から引き出すことにより、バックルの係止爪とバンド体の被係止爪とが互いに係止する構成であることを特徴とする請求項４に記載の結束バンド。
【請求項６】
前記バンド体係止部が形成された係止部形成部は、バックルの先端側に形成されて、前記固定面にバックルを固定した状態で、当該バンド体の他端部は、当該係止部形成部の背面と前記固定面とで形成された引き出し空間を通過して、前記バックルの先端側に引き出される構成であることを特徴とする請求項４又は５に記載の結束バンド。
【発明の詳細な説明】
【技術分野】
【０００１】
本発明は、配線・配管材の結束と、構造物の壁面等の固定面に対する配線・配管材の支持との双方を可能にした配線・配管材の結束バンドに関するものである。なお、本明細書において「掛け回す」とは、バックルに形成された棒状の掛け回し部材にバンド体を反転状態で巻き付けて引っ掛けることをいう。
【背景技術】
【０００２】
例えば、建設現場において仮設電源用のケーブルをループ状に巻回して運搬したり、或いは現場において発生する当該ケーブルの余長部を束ねるには、結束具が必要となる。一方、構造物の壁面等に沿って配線・配管材を配線・配管する場合には、当該配線・配管材を所定長毎に壁面等に保持固定させる必要がある。このように、配線・配管材に関しては、非使用時における結束と、使用時における壁面等に対する保持固定とが必要となるが、従来は、それぞれ個別の結束具、或いは保持具が使用されていた。
【０００３】
例えば、特許文献１に開示の結束具は、束ねられた線材を結束できるのみで、例えば１本或いは結束状態の線材を壁面に固定可能とする機能は備えていない。一方、特許文献２に開示の結束具は、バンド部の長手方向の一端部にロック部が連結され、当該ロック部に自動車のシャーシ等に設けられた穴に係止させるためのクリップ部が一体に形成された構成である。よって、バンド部とロック部により、束ねられた線材を結束した状態で、クリップ部を介して前記シャーシ等の穴に係止固定できる。特に、特許文献２の結束具のロック部は、ブロック状であるために、露出部に使用された場合には、スペースを占有すると共に、見栄えも悪い。しかも、特許文献２の結束具は、当該結束具を固定するシャーシ等の取付部材が前記クリップ部に対応した板厚を有する板状であること、及び板状をした当該取付部材に係止用の穴が明けられていることが必要であるため、構造物の壁面等には固定できない。
【先行技術文献】
【特許文献】
【０００４】
【特許文献１】特開２００３−３１９８０５号公報
【特許文献２】特開平６−１９１５５１号公報
【発明の概要】
【発明が解決しようとする課題】
【０００５】
本発明は、配線・配管材の結束と、構造物の壁面等の固定面に対する配線・配管材の支持との双方を可能にした結束バンドの提供を課題としている。
【課題を解決するための手段】
【０００６】
上記課題を解決するための請求項１の発明は、バックルの基端側にバンド体が一体に連結され、当該バンド体の他端部が前記バックルに挿通されると共に、抜脱防止手段によって配線・配管材の結束状態では当該バックルに対して抜脱しないように当該バックルの他端側に連結される結束バンドであって、前記バックルは、平板状に形成されて、前記バンド体の他端部が表面側から挿入可能なバンド体挿入部と、当該バンド体挿入部から挿入されたバンド体の他端部を掛け回して前記バックルの外部に引出し可能にするためのバンド体掛け回し部と、当該バックルを構造物の壁面等の固定面に釘、ビス等の固定具により固定可能にするための固定孔とを備え、前記バックルは、前記固定面に固定された状態で、前記バンド体挿入部から挿入されたバンド体の他端部が、前記バンド体掛け回し部と前記固定面との間に形成される掛け回し空間を通過して、当該バックルの先端側又は表面側から引き出されるように当該バックルに挿通されることを特徴としている。
【０００７】
請求項１の発明によれば、束ねられた配線・配管材を単に結束する場合には、当該束ねられた配線・配管材の外周に結束バンドのバンド体を巻き付けて、当該バンド体の他端部（自由端部）を、バックルの表面側からバンド体挿入部を通してバックル内部に挿入させて、バックルに設けられたバンド体掛け回し部に掛け回すことにより、抜脱防止手段によりバンド体の他端部の抜脱を防止すればよい。そして、複数本の配線・配管材が結束された状態では、結束バンドを構成するバックルが板状であって、当該バックルの部分が大きく突出しないので、結束された配線・配管材の取扱い時において当該バックルの部分が周辺の物品に引っ掛かったりする不具合がないと共に、バックルが薄いために、配線・配管材の結束状態の見栄えもよい。
【０００８】
一方、構造物の壁面等の固定面に沿って配線・配管される配線・配管材を所定長毎に保持して当該固定面に固定する場合には、平板状のバックルに形成された固定孔に釘、ビス等の固定具を挿通して、当該バックルを前記壁面等に固定すると、バックルのバンド体掛け回し部の背面と固定面との間には、バンド体を挿通可能な掛け回し空間が形成される。この状態で、構造物の固定面と配線・配管材との間で前記バックルが挟まれるようにして、当該配線・配管材を固定面に沿って配置し、この状態で、当該配線・配管材に巻き付けたバンド体の他端部を、前記バックルの表面側からバンド体挿入部を通してバックル内部に挿入して、前記掛け回し空間を通してバックル外部に引き出すことにより、当該バンド体の他端部は、前記バンド体掛け回し部に掛け回される。そして、抜脱防止手段によりバンド体の他端部の抜脱を防止すると、構造物の固定面と配線・配管材との間で平板状のバックルが挟まれた状態で、請求項１の発明に係る結束バンドを介して固定面に配線・配管材が支持される。バックルの背面側には、当該バックルを固定面に固定した状態で、固定面との間に薄帯状のバンド体が通過可能な掛け回し空間が形成可能な凹状部が形成されるが、当該凹状部の固定面に対して垂直な方向の寸法（深さ）は、薄帯状のバンド体の厚さよりも僅かに大きければよいので、当該寸法（深さ）は小さくなり、ひいてはバックルを薄くできる。このように、構造物の固定面と配線・配管材との間に配置されたバックルは厚さの小さい平板状にできるので、構造物の固定面に対して配線・配管材を支持する際にバックルが障害とならない（当該バックルの部分で配線・配管材が大きく手前側に浮き上がることはない）。バックルが厚さの小さい平板状であることは、結束バンドを本来の結束具として使用する場合においても、バックルが大きく出っ張らなくなって、障害とならない利点かある。
【０００９】
また、請求項２の発明は、請求項１の発明において、前記抜脱防止手段は、バンド体の一面に形成されたファスナー面であって、前記バンド体掛け回し部に掛け回して反転させることにより、当該バンド体の他端部は、前記ファスナー面が内側となるように二枚重ね状態にして互いに引っ掛けることにより、バックルに抜脱しないように連結されることを特徴としている。
【００１０】
請求項２の発明によれば、バンド体の一面がファスナー面となっているため、バックルのバンド体掛け回し部に掛け回されて反転されたバンド体の他端部を二枚重ねにして当該バンド体の他の部分にファスナーを介して互いに引っ掛かる。よって、配線・配管材の周長に対応した任意の位置で、バンド体の他端部が残りの部分に引っ掛けられて、バンド体が抜脱しなくなる。
【００１１】
請求項３の発明は、請求項１又は２の発明において、前記バンド体掛け回し部は、バックルの先端側に形成され、前記固定面にバックルを固定した状態で、当該バンド体の他端部は、当該バンド体掛け回し部の背面側と前記固定面との間に形成された掛け回し空間を通ってそのまま前記バックルの先端側に引き出される構成であることを特徴としている。
【００１２】
請求項３の発明によれば、構造物の壁面等の固定面に沿って配線・配管された配線・配管材を支持するには、固定孔を利用して前記壁面等にバックルを固定した後に、当該バックルの手前側に配置された配線・配管に対してバンド体を巻き付けた状態で、当該バンド体の先端部をバックルのバンド体挿入部に挿入した後に、バンド体掛け回し部の背面側の掛け回し空間を通ってそのままバックルの先端側に引き出すと、前記バンド体の先端部はバックルから抜け出る。その後に、バンド体に張力を加えて配線・配管材に対してしっかり巻き付けた状態で、抜脱防止手段によりバンド体の先端部の抜脱を防止すると、請求項３の発明に係る結束バンドを介して構造物の固定面に配線・配管材が支持固定される。このように、バックルの前面側から内部に挿通されたバンド体の先端部は、そのままバンド体掛け回し部の背面側の掛け回し空間を通って当該バックルの先端側に抜け出るので、換言すると、バックルの前面側から内部に挿通されたバンド体の先端部は、９０°以下のわん曲角度でもって、バックルのバンド体掛け回し部の背面側を通して外部に抜け出すことが可能であるので、バックルに対するバンド体の挿通作業が容易となる。
【００１３】
また、請求項４の発明は、バックルの基端側にバンド体が一体に連結され、当該バンド体の他端部が前記バックルに挿通されると共に、抜脱防止手段によって配線・配管材の結束状態では当該バックルに対して抜脱しないように当該バックルの他端側に連結される結束バンドであって、前記バックルは、平板状に形成されて、前記バンド体の他端部が表面側から挿入可能なバンド体挿入部と、当該バンド体挿入部の内側面となる部分に形成されたバンド体係止部と、前記バックルを構造物の壁面等の固定面に釘、ビス等の固定具により固定可能にするための固定孔とを備え、前記バックルは、前記固定面に固定された状態で、前記バンド体挿入部から挿入されたバンド体の他端部が、前記固定面との間で形成された引き出し空間を通過して、当該バックルの先端側又は表面側から引き出されることにより、前記バンド体は前記バンド体係止部に係止されることを特徴としている。
【００１４】
請求項４の発明は、請求項１の発明に対して以下の作用が異なり、配線・配管材の結束時、或いは構造物の固定面に対する配線・配管材の支持固定時における基本的な作用は請求項１の発明と同一である。即ち、前記バンド体挿入部から挿入されたバンド体の他端部が、前記固定面との間で形成された引き出し空間を通過して、当該バックルの先端側又は表面側から引き出されることにより、前記バンド体は前記バンド体係止部に係止される構成であるので、バンド体の他端側をバックルの内部に挿入する操作のみにより、バンド体はバンド体係止部に係止されて、バックルに挿通されたバンド体が抜脱しなくなって、バックルに対してバンド体が緩まないように固定される。従って、配線・配管材を結束したり、構造物の固定面に支持したりする際に、配線・配管材の周長に対応するベルト長を確保して、緩まない状態にする作業が容易となる。
【００１５】
また、請求項５の発明は、請求項４の発明において、前記抜脱防止手段は、前記バックルに形成された係止部である係止爪と、前記バンド体の一面に縦断面で鋸刃状となるように長手方向に形成されて、前記係止爪と係止可能な被係止爪とから成り、当該バンド体の他端部を前記引き出し空間から引き出すことにより、バックルの係止爪とバンド体の被係止爪とが互いに係止する構成であることを特徴としている。
【００１６】
請求項５の発明によれば、バンド体の一面には、バンド体挿入部の内側面に形成されたバンド体係止部に係止する被係止部が長手方向に沿って形成されているので、バックルの係止部に対するバンド体の係止状態が一層確実となって、配線・配管材を結束したり、構造物の固定面に支持固定したりする際において、バンド体が緩むのを一層確実に防止できる。
【００１７】
また、請求項６の発明は、請求項４又は５の発明において、前記バンド体係止部が形成された係止部形成部は、バックルの先端側に形成されて、前記固定面にバックルを固定した状態で、当該バンド体の他端部は、前記係止部形成部の背面と前記固定面とで形成された引き出し空間を通通過して、前記バックルの先端側に引き出される構成であることを特徴としている。
【００１８】
請求項６の発明の作用効果は、バックルの表面側から内部に挿通されたバンド体を、係止部形成部の背面と構造物の固定面との間に形成された引き出し空間を通してバックルの先端側に引き出すのみで、バンド体が抜脱されなくなる基本的作用を除いて、請求項３の発明の作用効果と同一である。
【発明の効果】
【００１９】
本発明によれば、同一の結束バンドにより、配線・配管材を結束できるのみならず、バックルに設けられた固定孔の利用により、構造物の壁面等の固定面に配線・配管材を保持固定することもできる。特に、後者の場合には、バックルの固定孔を利用して当該バックルを構造物の固定面に固定した状態で、バックルのバンド体掛け回し部又はバンド体係止部を形成している部分と、壁面等の固定面との間には、当該バックルの表面側から内部に挿通されたバンド体の先端部を通過させられる掛け回し空間又は引き出し空間が形成されるので、バックルの手前側に配置された配線・配管材に巻き付けられて、バックルの内部に挿通されたバンド体の先端部を外部に引き出す操作を容易に行える利点がある。
【図面の簡単な説明】
【００２０】
【図１】実施例１の結束バンドＴ1 の斜視図である。
【図２】（ａ）は、結束バンドＴ1 を構成するバックルＢ1 の部分の拡大平面図であり、（ｂ），（ｃ）は、それぞれ（ａ）のＵ1 −Ｕ1 線及びＵ2 −Ｕ2 線の各断面図である。
【図３】（ａ），（ｂ）は、それぞれバックルＢ1 を表面側及び裏面側から見た斜視図である。
【図４】図３（ｂ）のＶ−Ｖ線断面図である。
【図５】複数本のケーブルＣ1 を結束バンドＴ1 を用いて結束した状態の斜視図である。
【図６】建設現場で使用されるケーブルＣ2 の非使用時において、ループ状に束ねられた当該ケーブルＣ2 が結束バンドＴ1 により結束された状態の斜視図である。
【図７】ケーブルＣ2 の使用時において当該ケーブルＣ2 の余長部Ｃ2aを直線状に束ねて、結束バンドＴ1 により結束された状態の斜視図である。
【図８】壁面Ｗ1 に沿って配線されたケーブルＣ3 が結束バンドＴ1 によりポイント的に支持固定された状態の斜視図である。
【図９】壁面Ｗ1 に結束バンドＴ1 のバックルＢ1 が固定された状態の斜視図である。
【図１０】壁面Ｗ1 に配線されたケーブルＣ3 をバンド体Ｄ1 で保持するために、当該バンド体Ｄ1 の他端部をバックルＢ1 のバンド体掛け回し部２に掛け回している状態の断面図である。
【図１１】壁面Ｗ1 に配線されたケーブルＣ3 が結束バンドＴ1 によりポイント的に保持固定された状態の断面図である。
【図１２】（ａ），（ｂ）は、それぞれ吊下げ保持具Ｅを異なる方向から見た斜視図である。
【図１３】作業者のベルト６０に通した吊下げ保持具Ｅに多数の結束バンドＴ1 を吊り下げて保持した状態の斜視図である。
【図１４】（ａ）は、実施例２の結束バンドＴ2 のバックルＢ2 の部分の平面図であり、（ｂ）は、（ａ）のＸ−Ｘ線断面図である。
【図１５】実施例３の結束バンドＴ3 の斜視図である。
【図１６】（ａ）は、結束バンドＴ3 のバックルＢ3 の部分の平面図であり、（ｂ）は、（ａ）のＹ−Ｙ線断面図である。
【発明を実施するための形態】
【００２１】
以下、複数の実施例を挙げて、本発明について更に詳細に説明する。
【実施例１】
【００２２】
図１〜図４には、実施例１の配線・配管材の結束バンドＴ1 が示されている。図１は、結束バンドＴ1 の斜視図であり、図２（ａ）は、結束バンドＴ1 を構成するバックルＢ1 の部分の拡大平面図であり、同（ｂ），（ｃ）は、それぞれ同（ａ）のＵ1 −Ｕ1 線及びＵ2 −Ｕ2 線の各断面図であり、図３（ａ），（ｂ）は、それぞれバックルＢ1 を表面側及び裏面側から見た斜視図であり、図４は、図３（ｂ）のＶ−Ｖ線断面図である。結束バンドＴ1 は、構造物の壁面、天井面等に固定可能な所定厚さの板状をしたバックルＢ1 と、当該バックルＢ1 に一端部が連結されたバンド体Ｄ1 とから成る。
【００２３】
バックルＢ1 は、樹脂の射出成形品であって、表面側及び裏面側の双方が平面状の板状をなしていると共に、全体が矩形枠状をしたバックル本体１を備え、当該バックル本体１におけるバンド体Ｄ1 の長手方向の両端部は、バックル本体１の全体形状である矩形枠の対向辺をそれぞれ形成していて、それぞれ当該バックル本体１内に挿通されたバンド体Ｄ1 の他端側（非連結側）を掛け回すためのバンド体掛け回し部２、及び折り返されて二枚重ねとなったバンド体Ｄ1 の一端部を上側から挟持するように支持する上側バンド体支持部３となっている。バックル本体１の全体形状である矩形枠の対向辺を形成するバンド体掛け回し部２及び上側バンド体支持部３は、各上面がバックル本体１の全体の上面と同一平面となっているが、各板厚は、バックル本体１の全体厚（Ｌ3)に対してほぼ半分、或いは半分よりも小さくなっている。従って、掛け回し部２及び上側バンド体支持部３の下側の面は、バックル本体１の下面に対して大きく板厚方向にずれている。掛け回し部２がバックル本体１の下面に対して大きく板厚方向にずれていることにより、当該バックル本体１を壁面等に固定すると、掛け回し部２と壁面等の固定面との間に空間部が形成され、当該空間部は、前記掛け回し部２に対してバンド体Ｄ1 の掛け回しを可能にするための掛け回し空間１０として機能する。即ち、図２（ｂ），（ｃ）及び図３（ｂ）に示されるように、バックルＢ1 の背面側の掛け回し部２の部分は、凹状に形成されているが、前記掛け回し空間１０の壁面Ｗ1 に対して垂直な方向の寸法（凹状の部分の深さ）は、薄帯状のバンド体Ｄ1 を通過させられる寸法であればよいので、当該バンド体Ｄ1 の厚さよりも僅かに大きな寸法であればよい。従って、掛け回し部２の背面側に形成された凹状の部分の深さは浅くできて、結果として、バックルＢ1 を薄い板状にできる。このため、後述のように、結束バンドＴ1 を本来の結束具として使用する場合には、当該バックルＢ1 が表面側に露出しても、大きな突出物となって周辺物品に引っ掛かったりしなくなると共に、当該バックルＢ1 が目立たないために、結束された配線・配管材の見栄えもよくなる。一方、壁面等に配線・配管材を配線・配管する際に、結束バンドＴ1 を当該配線・配管材の支持具として使用する場合においても、バックルＢ1 が薄いために、当該バックルＢ1 の上に配線・配管材が配置されても、当該配線・配管材が手前側に大きく膨出しなくなって、配線・配管状態の見栄えがよくなる。なお、実施例１の平面形状が矩形状のバックル本体１の〔縦（Ｌ1 ）×横（Ｌ2 ）×厚さ（Ｌ3 ）〕＝（３３×３２．５×６．６ｍｍ）であって、バックル本体１が薄いことが分かる。
【００２４】
また、矩形枠状のバックル本体１の他の対向辺を構成する一対の側板部４は、当該バックル本体１の全体厚（Ｌ3)と同一の高さを有していて、各側板部４の上面、及び下面は、バックル本体１の上面及び下面と一致している（図３及び図４参照）。一対の側板部４の間には、前記掛け回し部２との間に所定の間隔をおいて固定孔形成部５が掛け渡されている。その結果、掛け回し部２と固定孔形成部５との間の空間部は、バンド体Ｄ1 の他端部をバックルＢ1 内に挿入可能にするためのバンド体挿入部６となっている。固定孔形成部５の長手方向（バンド体Ｄ1 の長手方向と直交する方向）の中央部には、バックルＢ1 を構造物の壁面、天井面等に固定するための釘、ビス等の固定具を挿通するための固定孔７が貫通して形成されている。固定孔７の表側の端部には、釘Ｎの頭部Ｎａを収容するための頭部収容部７ａが形成されている。なお、一対の側板部４の間に掛け渡された固定孔形成部５の固定孔７が形成されている部分を除く残りの部分は、その上下両面にそれぞれ凹部８，９が形成されている。
【００２５】
バンド体挿入部６を通してバックルＢ1 内に挿通されたバンド体Ｄ1 の先端部を掛け回すための掛け回し部２の断面は矩形状であるが、各コーナー部は、バンド体Ｄ1 との接触による損傷をなくすためにアール面取りされている。また、結束バンドＴ1 を用いてケーブルを結束する場合には、バックル本体１の表面側が当該ケーブルに密着して、その背面側が露出するために、バックル本体１を構成する一対の側板部４の掛け回し部２に接続する側の下端面は、取り扱い時において周辺物品との引っ掛かり等を防止するためにわん曲面に形成されている。
【００２６】
一対の側板部４における上側バンド体支持部３と固定孔形成部５との間であって、バックル本体１の上面よりも僅かに下がった部分には、バンド体巻掛け部１１が掛け渡された形態で設けられていて、当該バンド体巻掛け部１１の前後の空間部は、いずれもバンド体巻掛け空間部１２，１３となっている。また、バックル本体１の裏面側（下面側）には、固定孔形成部５からバンド体連結側の端面に至る間の下面開口を閉塞して、前記バンド体巻掛け部１１に巻き掛けられて二枚重ねとなったバンド体Ｄ1 を下面側から支持するための矩形状の下側バンド体支持板部１４が一方の側板部４にヒンジ連結部１５を中心にして回動可能に連結されている。当該ヒンジ連結部１５は、バックル本体１の射出成形時において、直線状の連結部を残存させることにより成形される。ヒンジ連結部１５におけるヒンジ連結部１５と対向する辺部には、係止凹部１６が形成され、他方の側板部４の内側面における下側バンド体支持板部１４の係止凹部１６に対応する部分には、当該係止凹部１６と係止可能な係止凸部１７が突設されている。そして、図２に示されるように、バンド体Ｄ1 の一端部をバンド体巻掛け部１１に巻き掛けて反転させることにより二枚重ねとなった部分は、上側バンド体支持部３と下側バンド体支持板部１４との間で挟持されることにより、バックル本体１の基端側にバンド体Ｄ1 の一端部が連結される。また、上側バンド体支持部３の裏面（下面）には、バンド体Ｄ1 の幅方向に沿って突条１８が形成されており、バンド体Ｄ1 が上側バンド体支持部３と下側バンド体支持板部１４との間で挟持された状態で、前記突条１８がバンド体Ｄ1 内に喰い込むことにより、バックル本体１に対してバンド体Ｄ1 が素抜けるのを防止している。なお、図２及び図３において、１９は、バックルＢ1 を射出成形する際に、前記係止凸部１７を成形するためのスライド型（図示せず）により形成された切欠き凹部を示す。
【００２７】
一方、帯状のバンド体Ｄ1 は、基布２１の一面のみが全長に亘ってファスナー面２１ａとなっている。バックルＢ1 に対するバンド体Ｄ1 の表裏の関係は、当該バックルＢ1 にバンド体Ｄ1 を連結した状態で、バックルＢ1 の裏面側にファスナー面２１ａが配置されるようになっている。なお、バックルＢ1 にバンド体Ｄ1 の一端部を折り返して二枚重ねにして、バンド体巻掛け部１１に巻き掛けて連結する際には、バンド体Ｄ1 のファスナー面２１ａが内側に配置されるため、バンド体Ｄ1 におけるバックル本体１に連結される二枚重ねの部分は、ファスナー面２１ａを介して引っ掛かることにより互いに取着し合っている。
【００２８】
次に、図５〜図７を参照して、上記した結束バンドＴ1 を用いて給電用のケーブルＣ1 を結束する場合について説明する。図５は、パイプシャフト（図示せず）内に配置される複数本のケーブルＣ1 を結束バンドＴ1 を用いて結束した状態の斜視図であって、複数本のケーブルＣ1 の外周の長手方向に沿って所定間隔をおいた複数の部分にバンド体Ｄ1 を巻き付けて、当該バンド体Ｄ1 の他端部をバックルＢ1 のバンド体挿入部６を通して掛け回し部２に掛け回した後に、当該バンド体Ｄ1 の余長部を、複数本のケーブルＣ1 の外周に巻き付けられているバンド体Ｄ1 に重ね合わせて、ファスナー面２１ａを互いに引っ掛けて取着させると、複数本のケーブルＣ1 が結束バンドＴ1 により結束される。バックルＢ1 が板状であるために、複数本のケーブルＣ1 を結束した状態において大きく突出しないので、結束された複数本のケーブルＣ1 を取り扱う際に、バックルＢ1 が障害にならない。
【００２９】
また、図６及び図７は、それぞれ建設現場で使用されるケーブルＣ2 の非使用時において、ループ状に束ねられた当該ケーブルＣ2 が結束バンドＴ1 により結束された状態、及び使用時においてケーブルＣ2 の余長部Ｃ2aを直線状に束ねて結束バンドＴ1 により結束された状態の斜視図である。いずれの状態においても、ループ状、或いは直線状に束ねられたケーブルＣ2 を結束バンドＴ1 により結束する操作は、上記した通りである。
【００３０】
いずれの結束状態においても、バックルＢ1 が板状であるために、当該バックルＢ1 が複数本のケーブルＣ1 ，Ｃ2 の外周面に密着した状態で、表面側に大きく突出しないので、結束状態のケーブルＣ1 ，Ｃ2 を取り扱う際に、バックルＢ1 が周辺の物品に引っ掛かったり、或いは作業者の身体の一部を引っ掛けて怪我をする恐れがないと共に、結束状態の複数本のケーブルＣ1 ，Ｃ2 の見栄えも良好である。
【００３１】
次に、図８〜図１１を参照して、上記した結束バンドＴ1 を用いて、構造物の壁面・天井面等に沿って配線されるケーブルＣ3 をポイント的に当該壁面・天井面等に支持固定する場合について説明する。図８は、壁面Ｗ1 に沿って配線されたケーブルＣ3 が結束バンドＴ1 によりポイント的に支持固定された状態の斜視図であり、図９は、壁面Ｗ1 に結束バンドＴ1 のバックルＢ1 が固定された状態の斜視図であり、図１０は、壁面Ｗ1 に配線されたケーブルＣ3 をバンド体Ｄ1 で保持するために、当該バンド体Ｄ1 の他端部をバックルＢ1 の掛け回し部２に掛け回している状態の断面図であり、図１１は、壁面Ｗ1 に配線されたケーブルＣ3 が結束バンドＴ1 によりポイント的に保持固定された状態の断面図である。図８に示されるように、壁面Ｗ1 どうし、或いは壁面Ｗ1 と天井面Ｗ2 とで形成される各入隅部に沿って壁面Ｗ1 にケーブルＣ3 が配線される場合があり、この場合には、配線方向に沿って所定間隔をおいてポイント的にケーブルＣ3 を保持固定する必要があり、ケーブルＣ1 ，Ｃ2 の結束が可能である同一の結束バンドＴ1 を用いて、ケーブルＣ3 を保持固定できる。
【００３２】
まず、図８に示されるように、壁面Ｗ1 におけるケーブルＣ3 の配線位置に沿って所定間隔をおいて結束バンドＴ1 のバックルＢ1 を釘Ｎを用いて固定しておく。即ち、結束バンドＴ1 を構成するバックルＢ1 のバックル本体１に設けられた固定孔７に釘Ｎを挿通して、当該釘Ｎを壁面Ｗ1 に打ち込むと、釘Ｎの頭部Ｎａは、バックル本体１に形成された固定孔７の手前側の端部の頭部収容部７ａに収容される結果、釘Ｎは、バックル本体１の表面から一切突出しない。これにより、バックル本体１の裏面（下面）が壁面Ｗ1 に密着して、バックル本体１の掛け回し部２と当該壁面Ｗ1 との間に、当該掛け回し部２にバンド体Ｄ1 の掛け回しを可能にするための掛け回し空間１０が形成される（図９参照）。当該掛け回し空間１０は、バックル本体１におけるバンド体Ｄ1 の長手方向に沿って当該バンド体Ｄ1 の連結側と反対の端部に形成されるので、バックル本体１の表面側からバンド体挿入部６を通して、当該バックル本体１の内部に挿通されたバンド体Ｄ1 は、９０°或いはこれよりも僅かに大きなわん曲角度を形成して、前記掛け回し空間１０を通ってそのままバックル本体１の先端側から引き出される。特に、バンド体挿入部６から挿入されたバンド体Ｄ1 の他端部（先端部）は、バックルＢ1 の表面側においてバンド体Ｄ1 を押し込むようにすると、当該バンド体Ｄ1 の他端部（先端部）は、掛け回し空間１０を通って壁面Ｗ1 を滑るようにして、バックル本体１の側方に送り出すことが可能であるので、掛け回し部２にバンド体Ｄ1 の他端部を掛け回す初期操作が容易である。
【００３３】
次に、壁面Ｗ1 に固定された各バックルＢ1 は、ケーブルＣ3 の配線位置となっているので、当該各バックルＢ1 の固定位置に沿ってケーブルＣ3 を配線し、その後に、バンド体Ｄ1 の他端部をバックル本体１のバンド体挿入部６を通して、当該バックル本体１の内部に挿通させ、前記掛け回し空間１０を通してバックル本体１の側方に引き出す。その後に、当該バンド体Ｄ1 の余長部を反転させることにより二枚重ねにして、内側に配置されたファスナー面２１ａを互いに密着させると、ケーブルＣ3 を保持しているバンド体Ｄ1 と、当該バンド体Ｄ1 の余長部Ｄ1aは、互いに引っ掛かることにより取着されて一体となる。これにより、ケーブルの結束ができる結束バンドＴ1 により、壁面Ｗ1 に沿って配線されるケーブルＣ3 をポイント的に保持固定することも可能となる。なお、結束バンドＴ1 は、束ねられた複数本のケーブルＣ1 ，Ｃ2 の結束を主たる機能としているために、バンド体Ｄ1 は、複数本のケーブルの結束が可能な長さを有しているため、壁面Ｗ1 に配線されたケーブルＣ3 を保持すると、余長部Ｄ1aが相当に長くなることがあるが、この場合には、当該余長部Ｄ1aの不要部分は切断除去すればよい。
【００３４】
また、構造物の壁面Ｗ1 とケーブルＣ3 との間に配置されたバックルＢ1 は平板状であるので、結束バンドＴ1 のバックルＢ1 を壁面Ｗ1 に固定した後に、壁面Ｗ1 に対してケーブルＣ3 を配線する際にバックルが障害とならない。また、ケーブルＣ3 が配線されて、当該ケーブルＣ3 が結束バンドＴ1 によりポイント的に支持された状態において、板状のバックルＢ1 はケーブルＣ1 の背面側に隠れると共に、ケーブルＣ3 における結束部分が手前側に大きく浮き上がることもないので、配線状態の見栄えもよい。
【００３５】
ここで、壁面Ｗ1 におけるケーブルＣ3 の配線位置に多数の結束バンドＴ1 のバックルＢ1 を所定間隔をおいて固定する際には、作業者は、多数の結束バンドＴ1 を保持しておく必要がある。この作業を行う際に、図１２及び図１３に示される吊下げ保持具Ｅに多数の結束バンドＴ1 を吊り下げて、作業者のベルト通し孔５０に通しておくと、多数の結束バンドＴ1 の保持、及び取出しの各作業が容易となる。図１２（ａ），（ｂ）は、それぞれ吊下げ保持具Ｅを異なる方向から見た斜視図であり、図１３は、作業者のベルト６０に通した吊下げ保持具Ｅに多数の結束バンドＴ1 を吊り下げて保持した状態の斜視図である。
【００３６】
吊下げ保持具Ｅは、ベルト通し孔５０を備えた金具取付け体５１と、当該金具取付け体５１の下端部に回動可能に連結された保持金具５２とで構成される。金具取付け体５１の表側の上下の各端部には、それぞれ突出部５３，５４が設けられていて、下方の突出部５３の下面には、金具支持部５５が設けられ、当該金具支持部５５に、保持金具５２の下端の回動支点部５６が回動可能に連結されている。保持金具５２は、１本の番線を長手方向の中央部で所定の間隔をおいてそれぞれ直角に折り曲げられ、直角に折り曲げられた各部分を所定間隔をおいて互いに平行となるようにＵ字状にわん曲させたものであって、Ｕ字状にわん曲された部分のわん曲方向に沿った一端部は、それぞれ元の番線の両端部が存在していて、当該両端部は更に内側に直角に折り曲げられて前記回動支点部５６として機能すると共に、Ｕ字状にわん曲された部分のわん曲方向に沿った他端部（番線の長手方向の中央部）は、上方の突出部５４の上面に設けられた係止突起部５７に解除可能に係止される被係止部５８となっている。従って、図１２（ａ）で２点鎖線で示されるように、金具取付け体５１の係止突起部５７と保持金具５２の被係止部５８との係止を解除して、回動支点部５６を支点にして保持金具５２の被係止部５８が金具取付け体５１から離間する方向に回動させ、この状態において、結束バンドＴ1 のバックルＢ1 に設けられたバンド体挿入部６に保持金具５２の被係止部５８の部分を相対的に挿通させて、保持金具５２に多数の結束バンドＴ1 を吊下げ保持させておく。
【００３７】
そして、金具取付け体５１のベルト通し孔５０を利用して、吊下げ保持具Ｅを作業者のベルト６０に吊り下げて作業を行う。作業者は、結束バンドＴ1 を必要とする都度、金具取付け体５１の係止突起部５７と保持金具５２の被係止部５８との係止を解除して、１ないし複数本の結束バンドＴ1 を取り出した後に、再度、金具取付け体５１の係止突起部５７と保持金具５２の被係止部５８とを係止させておく。これにより、結束バンドＴ1 の紛失、及び当該結束バンドＴ1 を探す手間がなくなると共に、結束バンドＴ1 の取り出しが容易であるために、ケーブルＣ3 の配線作業の能率が高められる。なお、図１２（ｂ）において、５９は、金具取付け体５１の下端部の裏面側に設けられて、配線作業に必要な工具類を紐を介して吊り下げておくためのフックを示す。
【実施例２】
【００３８】
次に、図１４を参照して、実施例２の結束バンドＴ2 について説明する。図１４（ａ）は、結束バンドＴ2 のバックルＢ2 の部分の平面図であり、同（ｂ）は、同（ａ）のＸ−Ｘ線断面図である。実施例２の結束バンドＴ2 を説明するに際して、その基本構成、及びその使用方法は、実施例１の結束バンドＴ1 と同一であるので、同一部分には同一符号を付し、重複説明を避けて当該結束バンドＴ1 と異なる部分についてのみ説明する。
【００３９】
結束バンドＴ2 の掛け回し部２’は、バックル本体１’におけるバンド体Ｄ1 の長手方向に沿って当該バンド体Ｄ1 の基端側と反対側の端部である先端側ではなくて、当該端部に一対の側板部４を連結するように設けられた連結側板部２２との間に所定の間隔をおいて設けられている。その結果、掛け回し部２’と固定孔形成部５との間には、バンド体Ｄ1 をバックル本体１’の内部に挿通させるためのバンド体挿入部６が形成されていると共に、当該掛け回し部２’と前記連結側板部２２との間には、バンド体挿入部６を通してバックル本体１’内に挿通されたバンド体Ｄ1 をバックル本体１’から外部に引き出すためのバンド体引出し部２３が形成されている。掛け回し部２’の背面側には、バックルＢ2 を壁面Ｗ1 等に釘Ｎを用いて固定した状態で、当該壁面Ｗ1 との間に、前記掛け回し部２’にバンド体Ｄ1 を掛け回し可能とする掛け回し空間１０’が形成されている。断面視において連結側板部２２のコーナー部における引出し用のバンド体引出し部２３に臨む部分は、バックル本体１’内に挿入されたバンド体Ｄ1 をバックル本体１’内から引き出す際に、当該引き出しの当初においてバックル本体１’内のバンド体Ｄ1 が、押出し力により抜け出すのを容易にするために大きくアール面取りされている。他の構成は、実施例１の結束バンドＴ1 と同一である。
【００４０】
よって、結束バンドＴ2 をケーブルの結束用として使用する場合、及びバックルＢ2 を壁面Ｗ1 等に固定して、当該壁面Ｗ1 等にケーブルをポイント的に支持する場合のいずれにおいても、バンド体挿入部６からバックル本体１’内に挿通されたバンド体Ｄ1 は、バンド体引出し部２３を通ることにより掛け回し部２’に掛け回されて、複数本のケーブルの結束、或いは壁面Ｗ1 等に配線されたケーブルのポイント的支持ができる。
【００４１】
壁面Ｗ1 等に配線されたケーブルをポイント的に支持する場合には、図１４（ｂ）に示されるように、バックル本体１’を壁面Ｗ1 等に釘Ｎを用いて固定すると、バックル本体１’の掛け回し部２’の背面と前記壁面Ｗ1 等との間に、掛け回し空間１０’が形成されるので、当該掛け回し空間１０’の存在により、バンド体挿入部６からバックル本体１’内に挿通されたバンド体Ｄ1 は、掛け回し空間１０を通ってバンド体引出し部２３からバックル本体１’の外部に抜け出ることにより、当該バンド体Ｄ1 は掛け回し部２’に支障なく掛け回される。そして、二枚重ねとなったバンド体Ｄ1 の他端部を重ね合わせると、内側面に形成された各ファスナー面２１ａが互いに引っ掛かって、当該バンド体Ｄ1 の他端部は、抜脱不能となる。
【００４２】
ここで、実施例１，２では、バックルＢ1 ，Ｂ2 の内部を通って掛け回し部２，２’に掛け回されて外部に引き出されたバンド体Ｄ1 の他端部が抜脱するのを防止する手段として、バンド体Ｄ1 の基布２１の一方の面に形成されたファスナー面２１ａが用られている。しかし、特に、実施例２のように、バンド体Ｄ1 がほぼ反転して掛け回し部２’に掛け回される場合には、当該バンド体Ｄ1 の大きなわん曲又は屈曲と、前記掛け回し部２’とバンド体Ｄ1 との摩擦抵抗との相乗により、当該バンド体Ｄ1 の抜脱を防止することも可能である。更に、バックル内を通って外部に引き出されたバンド体の他端部を二枚重ねにする場合には、当該二枚重ねの部分をクリップ状をした留め具により一体化することにより、バンド体Ｄ1 の抜脱を防止することも可能である。
【実施例３】
【００４３】
次に、図１５及び図１６を参照して、実施例３の結束バンドＴ3 について説明する。図１５は、結束バンドＴ3 の斜視図であり、図１６（ａ）は、結束バンドＴ3 のバックルＢ3 の部分の平面図であり、同（ｂ）は、同（ａ）のＹ−Ｙ線断面図である。実施例３の結束バンドＴ3 は、矩形板状のバックルＢ3 と、当該バックルＢ3 に一体に連結されたバンド体Ｄ3 とが、樹脂の射出成形により一体に形成されたものであって、前記した各実施例１，２に対して大きく異なる部分は、結束バンドＴ1 ，Ｔ2 に対してバンド体Ｄ3 の非連結側をバックルＢ3 に連結する構成である。
【００４４】
バックルＢ3 は、バックル本体１”におけるバンド体Ｄ3 の長手方向に沿ってバンド体Ｄ3 の非連結側にバンド体挿入部６”が幅方向（バンド体Ｄ3 の幅方向と同一方向）に形成されることにより、バックル本体１”におけるバンド体Ｄ3 の長手方向に沿ってバンド体Ｄ3 の非連結側に係止部形成部２６が形成されている。当該係止部形成部２６の背面には、結束バンドＴ3 を壁面Ｗ1 等に固定した場合に、当該壁面Ｗ1 との間に引き出し空間２７が形成される。バックル本体１”の幅方向の中央部には、固定孔７が前記バンド体挿入部６”に近接して設けられている。
【００４５】
バンド体Ｄ3 の背面側であって、しかも幅方向の中央部には、縦断面が変則鋸刃状をした被係止部３１がほぼ全長に亘って設けられている。変則鋸刃状の被係止部３１を構成する単一の刃面３２ａ，３２ｂの形状は、一方の刃面３２ａがバンド体Ｂ3 の裏面に対してほぼ垂直となった直角三角形状である。被係止部３１は、長手方向の両端部を除く全ての部分に連続して形成されている。バックル本体１”の係止部形成部２６の内側面には、バンド体Ｄ3 の被係止部３１が係止可能なバンド体係止部３３が突出して形成されている。バンド体係止部３３は、係止部形成部２６に対して弾性変形可能となって一体に形成されていて、当該バンド体係止部３３の先端面には、バンド体Ｄ3 の被係止部３１の刃面３２ａ，３２ｂに対応する刃面が形成されている。また、バンド体挿入部６”を形成する対向内側面のうち前記バンド体係止部３３と対向する側の内側面３４の下半部は、当該バンド体挿入部６”から内部に挿通されるバンド体Ｄ3 の先端部の挿通案内を行えるようにわん曲して形成された挿通案内面となっている。
【００４６】
このため、ケーブルを結束する場合、及び壁面Ｗ1 等においてケーブルをポイント的に支持する場合のいずれにおいても、バンド体Ｄ3 の非連結側の先端部をバンド体挿入部６”から内部に挿通すると、当該バンド体Ｄ3 の先端部は、挿通案内面３４に案内されることによりわん曲されて、バックル本体１”から抜け出ると共に、当該バンド体Ｄ3 は、その被係止部３１と、バックル本体１”のバンド体係止部３３とが係止しながら抜け出ることにより、抜け出し方向のみにバンド体Ｄ3 を引き出すことが可能であって、前記した被係止部３１及びバンド体係止部３３を構成する単一の刃の各刃面３２ａ，３２ｂの形状により、バックル本体１”から抜け出たバンド体Ｄ3 が抜脱されること（戻されること）はないので、常にロック状態となる。
【００４７】
また、壁面Ｗ1 等においてケーブルをポイント的に支持する場合においても、掛け回し部２”の背面と壁面Ｗ1 等との間には、バンド体Ｄ3 の引き出し空間２７が形成されるので、バンド体挿入部６”から挿入されたバンド体Ｄ3 を引き出し空間２７を通過させて、バックルＢ3 の先端側に引き出す操作をスムーズに行える。
【００４８】
実施例３の変形例として、バンド体Ｄ3 によりケーブルを結束した状態で内側となる部分に被係止部３１が形成され、これに対応してバンド体挿入部６”における固定孔７が形成された側の内側面に、前記被係止部３１と係止されるバンド体係止部３３を形成することも可能である。更に、バンド体Ｄ3 の先端部は、バックルＢ3 の先端側からではなくて、実施例２のように表面側に引き出すようにすることも可能である。
【００４９】
実施例３の更に別の変形例としては、実施例２と同３とを組み合わせた形態も考えられる。即ち、図１４（ｂ）に示されるように、バンド体Ｄ1 の先端部をバックルＢ2 の表面側から挿入して、バンド体引出し部２３から当該バックルＢ2 の表面側に引き出す構成において、バンド体Ｄ1 に形成された被係止部（バンド体Ｄ3 の被係止部３１に相当する部分）と、掛け回し部２’の外周に形成された係止部とを係止させると、バンド体Ｄ1 を掛け回し部２’に掛け回した状態において、バンド体Ｄ1 の被係止部と掛け回し部２’の係止部との相互係止と、バンド体Ｄ1 自体が大きくわん曲されて掛け回し部２’に掛け回されていること自体との相乗によって、バンド体Ｄ1 の抜脱を一層確実に防止できる。
【００５０】
また、本発明に係る結束バンドは、複数本の配線・配管材を結束するという基本用途の他に、構造物の壁面等の固定面にバックルに形成された固定孔を利用して当該バックルを固定した状態で、固定面に対して配線・配管材をポイント的に支持する用途もある点に特徴が存在する。そして、後者の用途の場合には、図８で示される例では、２本のケーブルＣ3 をバンド体Ｄ1 により結束した状態で、当該結束状態のバンド体Ｄ1 を壁面Ｗ1 に支持しているが、１本のケーブルＣ3 のみを壁面Ｗ1 に沿って配線する場合においても、全く同様に本発明に係る結束バンドＴ1 の使用により、壁面Ｗ1 に沿って配線される１本のケーブルＣ3 をポイント的に支持することも当然に可能である。このようにケーブルが１本の場合には、バンド体Ｄ1 の機能は「結束」ではなくて、「支持」のみであり、このような使用例も、本発明に係る結束バンドの一使用例と言える。
【００５１】
また、結束バンドを構成するバックルを壁面等に固定する固定具は、釘の他にビスの場合もある。更に、上記各実施例では、バックルは、１本の釘により壁面等に固定される例であるが、バックルが大きくなった場合には、２箇所で支持することもある。
【００５２】
また、本発明に係る結束バンドは、構造物の壁面、天井面のみならず、床面にケーブルを配線する際において、当該ケーブルを結束状態で支持することも可能である。
【００５３】
なお、上記においては、結束、或いは壁面等にポイント的に支持する対象の配線材として、電力線としてのケーブルを挙げたが、信号線の場合もあり、更に、配管材を結束、或いは壁面において支持することもでき、当該配管材としては、給水管、給湯管、ガス管、排水管等が挙げられる。
【符号の説明】
【００５４】
Ｂ1 〜Ｂ3 ：バックル
Ｃ1 〜Ｃ3 ：ケーブル（配線・配管材）
Ｄ1 ，Ｄ3 ：バンド体
Ｄ1a：バンド体の余長部
Ｎ：釘（固定具）
Ｔ1 〜Ｔ3 ：結束バンド
Ｗ1 ：壁面（固定面）
Ｗ2 ：天井面（固定面）
１，１',１" ：バックル本体
２，２’：バンド体掛け回し部
６，６" ：バンド体挿入部
７：固定孔
１０，１０’：掛け回し空間
２１ａ：ファスナー面（抜脱防止部材）
２６：係止部形成部
２７：引き出し空間
３１：バンド体の被係止部
３３：バックルのバンド体係止部
【図１】
2010247863.tif 000003
【図２】
2010247863.tif 000004
【図３】
2010247863.tif 000005
【図４】
2010247863.tif 000006
【図５】
2010247863.tif 000007
【図６】
2010247863.tif 000008
【図７】
2010247863.tif 000009
【図８】
2010247863.tif 000010
【図９】
2010247863.tif 000011
【図１０】
2010247863.tif 000012
【図１１】
2010247863.tif 000013
【図１２】
2010247863.tif 000014
【図１３】
2010247863.tif 000015
【図１４】
2010247863.tif 000016
【図１５】
2010247863.tif 000017
【図１６】
2010247863.tif 000018